(57)【要約】【課題】待機状態時に省エネルギー化により表示部が消灯している場合、機器の電源をオンしなくても、リモコンの電源関連キー以外のキー操作により表示部を点灯させて時刻表示を行うことができる電子機器を提供する。【解決手段】電源がオフ状態であると判定された場合、リモコンが操作され、受信した操作信号により、リモコンの電源関連キー以外のキーが押下されたか否かが判定される。電源関連キー以外のキーが押下されたと判定されたときに、リモコンから受信した操作信号を表示指令信号と見なして処理し、タイマによる計時処理を開始させると共に、表示駆動信号により表示部を点灯させる。これにより、表示部に現在時刻が表示され、ユーザは時刻を知ることができる。この後、タイマによる計時時間が所定時間になったと判定したときに、表示駆動信号の出力を停止させ、表示部を消灯させ、省エネルギー化が図れる。【選択図】図４
2007306045.tif 000002
【特許請求の範囲】
【請求項１】
少なくとも時計機能を有する表示部を備え、リモコンにより操作可能であり、所定の動作を行う機能を有する電子機器において、
電源がオン状態であるかオフ状態であるかを判定する電源状態判定手段と、
前記電源がオン状態であると判定された場合は、前記リモコンからの操作信号を本来の機能の操作信号として受け付け、操作信号に応じた制御を行わせる操作制御手段と、
前記電源がオフ状態であると判定されて電源がオフ状態にあるときに、前記リモコンが操作されて受信した操作信号により前記リモコンの電源関連キー以外のキーが押下されたか否かを判定するキー入力判定手段と、
前記電源関連キー以外のキーが押下されたと判定されたときに、前記リモコンから受信した操作信号を表示指令信号と見なして処理し、タイマによる計時処理を開始させると共に、表示駆動信号を出力して表示部を点灯させるタイマ・表示点灯制御手段と、
前記タイマによる計時時間が所定時間になったか否かを判定し、計時時間が所定時間になったと判定したときに、前記表示駆動信号の出力を停止させ、前記表示部を消灯させる表示消灯制御手段と、を有するシステムコントローラを備えたことを特徴とする電子機器。
【請求項２】
少なくとも時計機能を有する表示部を備え、リモコンにより操作可能であり、所定の動作を行う機能を有する電子機器において、
電源がオフ状態にあるときに、前記リモコンの電源関連キー以外のキーが操作されて受信した操作信号により、タイマによる計時処理を開始させると共に、表示駆動信号を出力して表示部を点灯させ、前記タイマによる計時時間が所定時間になったときに、前記表示駆動信号の出力を停止させ、前記表示部を消灯させる制御を行うシステムコントローラを備えたことを特徴とする電子機器。
【請求項３】
前記システムコントローラは、電源がオン状態であるかオフ状態であるかを判定する電源状態判定手段と、前記電源がオン状態であると判定された場合は、前記リモコンからの操作信号を本来の機能の操作信号として受け付け、操作信号に応じた制御を行わせる操作制御手段と、前記電源がオフ状態であると判定されて電源がオフ状態にあるときに、前記リモコンが操作されて受信した操作信号により前記リモコンの電源関連キー以外のキーが押下されたか否かを判定するキー入力判定手段と、前記電源関連キー以外のキーが押下されたと判定されたときに、前記リモコンから受信した操作信号を表示指令信号と見なして処理し、タイマによる計時処理を開始させると共に表示駆動信号を出力して表示部を点灯させるタイマ・表示点灯制御手段と、前記タイマによる計時時間が所定時間になったか否かを判定し、計時時間が所定時間になったと判定したときに、前記表示駆動信号の出力を停止させ、前記表示部を消灯させる表示消灯制御手段と、を有することを特徴とする請求項２に記載の電子機器。
【発明の詳細な説明】
【技術分野】
【０００１】
本発明は、少なくとも時計機能を有する表示部を備え、リモコンにより操作可能であり、所定動作を行う機能を有する電子機器に関し、特に、表示部を点灯させたり消灯させたりするための表示制御に関する。
【背景技術】
【０００２】
従来から、記録媒体としての光ディスク（ＤＶＤなど）に対して情報の記録／再生を行う光ディスク記録再生装置（ＤＶＤレコーダなど）、記録媒体としてのハードディスクに対して情報の記録／再生を行うハードディスクレコーダ、記録媒体としての磁気テープに対して情報の記録／再生を行う磁気テープ記録再生装置（ビデオカセットレコーダなど）等の情報記録再生装置、あるいは光ディスクに記録された情報を再生する光ディスク再生装置（ＤＶＤプレイヤ）、磁気テープに記録された情報を再生する磁気テープ再生装置（ビデオカセットプレイヤなど）等の情報再生装置においては、現在時刻や動作モードなどが表示される表示部が前面操作パネルに設けられている。
【特許文献１】特開平１１−１９０９８２号公報
【特許文献２】特開２００２−３４１８３０号公報
【発明の開示】
【発明が解決しようとする課題】
【０００３】
ところで、このような情報記録再生装置や情報再生装置などのような電子機器では，消費電力の省エネルギー化を図るため、省エネルギーモードに設定すれば、電源をオフすると、表示部が消灯されるようになっている。しかしながら、この電子機器の表示部に表示される時計表示を見て現在時刻を知りたい場合があるが、このような場合、リモコンを操作して装置の電源をオンにしなければ、表示部が点灯しないので、ユーザにとっては不便を感じるという課題があった。
【０００４】
なお、特許文献１の従来技術では、使用者の意思や生活パターンに合わせて、例えば、待機状態での表示部の表示を自動的に制御している。また、この従来技術は、使用者の生活パターンに基づく該電気機器の使用時間帯を認識して、自動的に待機時の表示を制御している。また、この従来技術では、使用者が意図的に待機状態での表示を入切した時刻データを元に算出した時間帯に合わせて待機表示を自動的に入切している。この従来技術は、それらの制御によって、表示部に対する消費電力の節約を行うようにしている。しかし、表示部の表示を自動的に行うだけでは、使用者が、通常とは異なった時間帯に現在時刻を見たい場合には、直ぐに見ることができないので、この従来技術では、自動的に待機表示を制御していても、表示入切スイッチなどの待機表示入切手段は有効とし、使用者が、通常とは異なった時間帯に現在時刻を見たいときでも、自由に表示を入切することができるように構成されている。
【０００５】
しかしながら、この従来技術においては、表示入切スイッチは電気機器の本体前面の操作表示部に設けられており、リモコンの操作により表示部の点灯／消灯を行う制御に関しては開示されていないので、本件で言う電子機器、即ち、少なくとも時計機能を有する表示部を備え、リモコンにより操作可能であり、所定の動作を行う機能を有する電子機器においての前記課題を解決するものではない。なお、この従来技術においては、表示入切スイッチを電気機器の本体前面の操作表示部に新たに設ける必要があり、このため、製造コストが高くなる傾向がある。もし、リモコン側に表示入切スイッチを新たに設けたとしても、同様に製造コストが高くなる傾向がある。
【０００６】
特許文献２の従来技術は、液晶表示リモコンにおける表示部のバックライトの点燈／消燈（点灯／消灯）を制御するものであり、少なくとも時計機能を有する表示部を備え、リモコンにより操作可能であり、所定の動作を行う機能を有する電子機器に備えられた表示部の点灯／消灯を制御するものではない。
【０００７】
本発明は、上記のような課題を解決するためになされたもので、待機状態時に省エネルギー化により表示部が消灯している場合、機器の電源をオンしなくても、リモコンの電源関連キー以外のキー操作により表示部を点灯させて時刻表示を行うことができる電子機器を提供することを目的とする。
【課題を解決するための手段】
【０００８】
上記目的を達成するために、請求項１の発明は、少なくとも時計機能を有する表示部を備え、リモコンにより操作可能であり、所定の動作を行う機能を有する電子機器において、電源がオン状態であるかオフ状態であるかを判定する電源状態判定手段と、前記電源がオン状態であると判定された場合は、前記リモコンからの操作信号を本来の機能の操作信号として受け付け、操作信号に応じた制御を行わせる操作制御手段と、前記電源がオフ状態であると判定されて電源がオフ状態にあるときに、前記リモコンが操作されて受信した操作信号により前記リモコンの電源関連キー以外のキーが押下されたか否かを判定するキー入力判定手段と、前記電源関連キー以外のキーが押下されたと判定されたときに、前記リモコンから受信した操作信号を表示指令信号と見なして処理し、タイマによる計時処理を開始させると共に、表示駆動信号を出力して表示部を点灯させるタイマ・表示点灯制御手段と、前記タイマによる計時時間が所定時間になったか否かを判定し、計時時間が所定時間になったと判定したときに、前記表示駆動信号の出力を停止させ、前記表示部を消灯させる表示消灯制御手段と、を有するシステムコントローラを備えたことを特徴とする電子機器を提供する。
【０００９】
この構成において、先ず、電源状態判定手段は、機器が電源オン状態になっているか否かを判定する。電源オン状態になっていると判定された場合には、操作制御手段は、リモコンからの操作信号を本来の機能の操作信号として受け付け、操作信号に応じた制御を行わせる。一方、電源がオン状態でないと判定された場合（電源がオフ状態であると判定された場合）は、キー入力判定手段は、リモコンが操作され、受信した操作信号により、リモコンの電源関連キー以外のキーが押下されたか否かを判定する。
【００１０】
そして、電源関連キー以外のキーが押下されたと判定されたときに、タイマ・表示点灯制御手段は、リモコンから受信した操作信号を表示指令信号と見なして処理し、タイマによる計時処理を開始させると共に、表示駆動信号により表示部を点灯させる。これにより、表示部に現在時刻が表示され、ユーザは時刻を知ることができる。この後、表示消灯制御手段は、タイマによる計時時間が所定時間になったか否かを判定し、計時時間が所定時間になったと判定したときに、表示駆動信号の出力を停止させ、表示部を消灯させる。これにより、表示部に対する消費電力が節約でき、省エネルギー化を図ることができる。
【００１１】
この構成によれば、待機状態時に省エネルギー化により表示部が消灯している場合、機器の電源をオンしなくても、リモコンの電源関連キー以外のキー操作により表示部を点灯させて時刻表示を行うことができる。したがって、ユーザは、電子機器の表示部に表示される時計表示を見て現在時刻を知りたい場合に、リモコンの電源関連キー以外のキーを操作すれば、表示部に現在時刻が表示されるので、便利になる。また、所定時間が経過すれば、自動的に表示部が消灯されるので、省エネルギー化を図ることができる。また、リモコンの電源関連キー以外のキーを操作すれば、表示部に現在時刻を表示できるので、リモコンに新たに表示キーを設ける必要がなく、現状のリモコンをそのまま使用でき、コスト高になることはない。
【００１２】
請求項２の発明は、少なくとも時計機能を有する表示部を備え、リモコンにより操作可能であり、所定の動作を行う機能を有する電子機器において、電源がオフ状態にあるときに、前記リモコンの電源関連キー以外のキーが操作されて受信した操作信号により、タイマによる計時処理を開始させると共に、表示駆動信号を出力して表示部を点灯させ、前記タイマによる計時時間が所定時間になったときに、前記表示駆動信号の出力を停止させ、前記表示部を消灯させる制御を行うシステムコントローラを備えたことを特徴とする電子機器を提供する。
【００１３】
この構成において、電源がオフ状態にあるときに、リモコンの電源関連キー以外のキーが操作されて受信した操作信号により、タイマによる計時処理が開始されると共に、表示駆動信号により表示部が点灯される。そして、前記タイマによる計時時間が所定時間になったときに、前記表示駆動信号の出力が停止され、前記表示部が消灯される。
【００１４】
この構成によれば、待機状態時に省エネルギー化により表示部が消灯している場合、機器の電源をオンしなくても、リモコンの電源関連キー以外のキー操作により表示部を点灯させて時刻表示を行うことができる。したがって、ユーザは、電子機器の表示部に表示される時計表示を見て現在時刻を知りたい場合に、リモコンの電源関連キー以外のキーを操作すれば、表示部に現在時刻が表示されるので、便利になる。また、所定時間が経過すれば、自動的に表示部が消灯されるので、省エネルギー化を図ることができる。また、リモコンの電源関連キー以外のキーを操作すれば、表示部に現在時刻を表示できるので、リモコンに新たに表示キーを設ける必要がなく、現状のリモコンをそのまま使用でき、コスト高になることはない。
【００１５】
請求項３の発明では、請求項２の発明において、前記システムコントローラは、電源がオン状態であるかオフ状態であるかを判定する電源状態判定手段と、前記電源がオン状態であると判定された場合は、前記リモコンからの操作信号を本来の機能の操作信号として受け付け、操作信号に応じた制御を行わせる操作制御手段と、前記電源がオフ状態であると判定されて電源がオフ状態にあるときに、前記リモコンが操作されて受信した操作信号により前記リモコンの電源関連キー以外のキーが押下されたか否かを判定するキー入力判定手段と、前記電源関連キー以外のキーが押下されたと判定されたときに、前記リモコンから受信した操作信号を表示指令信号と見なして処理し、タイマによる計時処理を開始させると共に表示駆動信号を出力して表示部を点灯させるタイマ・表示点灯制御手段と、前記タイマによる計時時間が所定時間になったか否かを判定し、計時時間が所定時間になったと判定したときに、前記表示駆動信号の出力を停止させ、前記表示部を消灯させる表示消灯制御手段とを有する。
【００１６】
したがって、前記システムコントローラは、電源オン状態判定処理、操作制御処理、キー入力判定処理、タイマ・表示点灯制御処理、および表示消灯制御処理を実現でき、これにより、待機状態時に省エネルギー化により表示部が消灯している場合、機器の電源をオンしなくても、リモコンの電源関連キー以外のキー操作により表示部を点灯させて時刻表示を行うことが可能になる。
【発明の効果】
【００１７】
以上のように本発明によれば、少なくとも時計機能を有する表示部を備え、リモコンにより操作可能であり、所定の動作を行う機能を有する電子機器において、電源がオン状態であるかオフ状態であるかを判定する電源状態判定手段と、前記電源がオン状態であると判定された場合は、前記リモコンからの操作信号を本来の機能の操作信号として受け付け、操作信号に応じた制御を行わせる操作制御手段と、前記電源がオフ状態であると判定されて電源がオフ状態にあるときに、前記リモコンが操作されて受信した操作信号により前記リモコンの電源関連キー以外のキーが押下されたか否かを判定するキー入力判定手段と、前記電源関連キー以外のキーが押下されたと判定されたときに、前記リモコンから受信した操作信号を表示指令信号と見なして処理し、タイマによる計時処理を開始させると共に、表示駆動信号を出力して表示部を点灯させるタイマ・表示点灯制御手段と、前記タイマによる計時時間が所定時間になったか否かを判定し、計時時間が所定時間になったと判定したときに、前記表示駆動信号の出力を停止させ、前記表示部を消灯させる表示消灯制御手段とを有するシステムコントローラを備えたので、待機状態時に省エネルギー化により表示部が消灯している場合、機器の電源をオンしなくても、リモコンの電源関連キー以外のキー操作により表示部を点灯させて時刻表示を行うことができる。
【００１８】
したがって、ユーザは、電子機器の表示部に表示される時計表示を見て現在時刻を知りたい場合に、リモコンの電源関連キー以外のキーを操作すれば、表示部に現在時刻が表示されるので、便利になる。また、所定時間が経過すれば、自動的に表示部が消灯されるので、省エネルギー化を図ることができる。また、リモコンの電源関連キー以外のキーを操作すれば、表示部に現在時刻を表示できるので、リモコンに新たに表示キーを設ける必要がなく、現状のリモコンをそのまま使用でき、コスト高になることはない。
【００１９】
また、本発明によれば、少なくとも時計機能を有する表示部を備え、リモコンにより操作可能であり、所定の動作を行う機能を有する電子機器において、電源がオフ状態にあるときに、前記リモコンの電源関連キー以外のキーが操作されて受信した操作信号により、タイマによる計時処理を開始させると共に、表示駆動信号を出力して表示部を点灯させ、前記タイマによる計時時間が所定時間になったときに、前記表示駆動信号の出力を停止させ、前記表示部を消灯させる制御を行うシステムコントローラを備えたので、待機状態時に省エネルギー化により表示部が消灯している場合、機器の電源をオンしなくても、リモコンの電源関連キー以外のキー操作により表示部を点灯させて時刻表示を行うことができる。
【００２０】
したがって、ユーザは、電子機器の表示部に表示される時計表示を見て現在時刻を知りたい場合に、リモコンの電源関連キー以外のキーを操作すれば、表示部に現在時刻が表示されるので、便利になる。また、所定時間が経過すれば、自動的に表示部が消灯されるので、省エネルギー化を図ることができる。また、リモコンの電源関連キー以外のキーを操作すれば、表示部に現在時刻を表示できるので、リモコンに新たに表示キーを設ける必要がなく、現状のリモコンをそのまま使用でき、コスト高になることはない。
【発明を実施するための最良の形態】
【００２１】
以下、添付図面を参照しつつ、本発明の実施の形態について説明する。図１は本発明の一実施形態に係る電子機器としてのＤＶＤレコーダの構成を示すブロック図である。ここでは、ＤＶＤレコーダについて説明するが、これに限らず、ハードディスクレコーダやビデオカセットレコーダなどのＡＶ機器であっても、同様に表示部の点灯／消灯の制御を行うことができる。
【００２２】
図１において、ＤＶＤレコーダＡは、ＤＶＤ（デジタル・バーサタイル・ディスク）１に対して情報の記録／再生を行う記録再生部２、後述する表示指令信号が与えられてからの時間を計時するタイマ３、リモコンＢからの赤外線の操作信号を受光して電気信号の操作信号に変換する受光部４、時計としての時刻信号を発生する時計部５、この時計部５からの時刻信号を入力して現在時刻などを表示させる表示部６、この表示部６を駆動させる表示駆動部７、装置全体を制御するマイクロコンピュータなどで構成されるシステムコントローラ８、および装置の各構成要素に電源を供給する電源部９を備えている。
【００２３】
システムコントローラ８は、電源部９の電源がオン状態であるかオフ状態であるかを判定する電源状態判定手段８１と、電源がオン状態であると判定された場合は、リモコンＢからの操作信号を本来の機能の操作信号として受け付け、操作信号に応じた制御を行わせる操作制御手段８２と、電源がオフ状態であると判定されて電源がオフ状態にあるときに、リモコンＢが操作されて受信した操作信号によりリモコンＢの電源関連キー以外のキーが押下されたか否かを判定するキー入力判定手段８３と、電源関連キー以外のキーが押下されたと判定されたときに、リモコンＢから受信した操作信号を表示指令信号と見なして処理し、タイマ３による計時処理を開始させると共に、表示駆動信号を表示駆動部７に出力して表示部６を点灯させるタイマ・表示点灯制御手段８４と、タイマ３を駆動させるタイマ駆動手段８７と、タイマ３による計時時間が所定時間になったか否かを判定し、計時時間が所定時間になったと判定したときに、前記表示駆動信号の出力を停止させ、表示部６を消灯させる表示消灯制御手段８５と、記録再生部２を制御する記録再生制御手段８６とを有する。なお、このシステムコントローラ８は、電源部９の電源（メイン電源）がオフ状態であっても、電源部９の待機電源により動作しているので、電源部９の電源がオフ状態になったことを検知したり、オフ状態になっていることを検知したりすることができる。
【００２４】
図２は本実施形態のＤＶＤレコーダにおける前面操作パネルの一例を示す構成図である。図２において、前面操作パネル２０は、表示部６と操作部３０から成り、表示部６には、電源がオフされている時は、例えば、赤色を発光し、電源がオンされている時は、例えば、緑色を発光する電源状態表示用発光ダイオード２１、時刻などを表示させる第１表示部２２、選局チャンネルなどを表示させる第２表示部２３が設けられている。操作部３０には、装置の電源をオンさせたり、オフさせたりするための電源キー２４、トレイを開閉させるためのトレイ開閉キー２５、ＤＶＤなどを装置に挿入したり、ＤＶＤなどを装置から引き出したりするためのトレイ２６、記録動作を行わせるための記録キー２７、再生動作を行わせるための再生キー２８、および記録動作や再生動作などを停止させるための停止キー等が設けられている。なお、この前面操作パネル２０における各構成要素の配置や個数は、一例であるので、これに限ることはない。
【００２５】
図３は本実施形態のＤＶＤレコーダにおいてリモコンの操作ボタンの配置の一例を簡略化して示した構成図である。図３において、リモコンＢは、電源キー１０１、トレイ開閉キー１０２、複数の数字キー１０３、記録キー１０４、再生キー１０５、上方向キー１０６、下方向キー１０７、左方向キー１０８、右方向キー１０９、決定キー１１０、一時停止キー１１１、停止キー１１２、再生リストキー１１３、番組表キー１１４、画面サイズキー１１５、音声切換キー１１６、早戻しキー１１７、早送りキー１１８、早戻しスキップキー１１９、および早送りスキップキー１２０などを有している。本実施形態において説明している電源関連キーは、装置が電源オフ状態の時に押下すると、電源をオンする電源キー１０１と再生キー１０５のことを言う。なお、これらのキーの配置や種類あるいは個数は一例であるので、これに限ることはない。
【００２６】
図４は本実施形態のＤＶＤレコーダにおいて前面操作パネルに設けられている表示部を点灯させたり消灯させたりする制御を説明するためのフローチャートである。このフローチャートおよび図１〜図３を参照して表示部を点灯させたり消灯させたりする制御について説明する。
【００２７】
先ず、システムコントローラ８の電源状態判定手段８１は、電源部９のメイン電源の電圧を検出することにより、装置が電源オン状態になっているか否かを判定する（ステップＳ１）。電源オン状態になっていると判定された場合には、システムコントローラ８の操作制御手段８２は、リモコンＢからの操作信号を本来の機能の操作信号として受け付け（ステップＳ９）、操作信号に応じた制御を行わせる。即ち、リモコンＢの電源キー１０１または再生キー１０５が押下されて電源がオンされた後は、リモコンＢのキーを押下すれば、通常通りの操作が行わせる（ステップＳ１０）。なお、電源キー１０１以外で、再生キー１０５を押下しても電源がオンされる機種もあるので、ここでは、電源キー１０１および再生キー１０５を電源関連キーと称する。
【００２８】
一方、電源がオン状態でないと判定された場合（電源がオフ状態であると判定された場合）は（ステップＳ１）、システムコントローラ８のキー入力判定手段８３は、リモコンＢが操作され受光部４を介して受信した操作信号（操作キーを判別するためのコード信号）により、リモコンＢの電源関連キー以外のキーが押下されたか否かを判定する（ステップＳ２）。
【００２９】
そして、電源関連キー以外のキーが押下されたと判定されたときに、システムコントローラ８のタイマ・表示点灯制御手段８４は、リモコンＢから受信した操作信号を表示指令信号と見なして処理し、タイマ駆動手段８７を介してタイマ３による計時処理を開始させる（ステップＳ１２）と共に、表示駆動信号を表示駆動部７に出力して（ステップＳ１３）、表示部６を点灯させる（ステップＳ１４）。これにより、表示部６に現在時刻が表示され、ユーザは時刻を知ることができる。なお。装置の電源部９の電源（メイン電源）がオフされていても、表示部９は、表示駆動信号が与えられたとき、電源部９の待機電源により電源が供給されて点灯するように構成されている。
【００３０】
この後、システムコントローラ８の表示消灯制御手段８５は、タイマ３による計時時間が所定時間になったか否かを判定し（ステップＳ１５）、計時時間が所定時間（例えば５分）になったと判定したときに、表示駆動部７への表示駆動信号の出力を停止させ（ステップＳ１６）、表示部６を消灯させる（ステップＳ１７）。これにより、表示部６に対する消費電力が節約でき、省エネルギー化を図ることができる。
【００３１】
即ち、ステップＳ１１〜Ｓ１７の処理により、電源オフ状態になっている状態のときに、ユーザがリモコンＢの電源関連キー以外のキーを押下すると、そのキーの操作信号が表示指令信号と見なされ、これにより、所定時間の間だけ表示部６が点灯されるので、ユーザは、その所定時間の間に時計表示を見て現在時刻を知ることができるようになる。
【００３２】
電源がオフ状態のときに、装置に電源を入れたいため、電源キー１０１が押下されると、システムコントローラ８のキー入力判定手段８３は、押下されたキーが電源キー１０１であることを、受光部４を介して受信した電源オン操作信号により判定し（ステップＳ３）、これにより、タイマ・表示点灯制御手段８４は、表示駆動信号を出力して（ステップＳ４）、表示駆動部７に供給し、表示部６を点灯させ（ステップＳ５）、時計表示などを行う。
【００３３】
ステップＳ３において電源キー１０１が押下されて、電源がオンされ、この後、リモコンＢのキー操作による動作（再生動作や記録動作など）が行われ、この動作が終了したことにより、ユーザにより再びリモコンＢの電源キー１０１が押下されると、電源がオフされ、システムコントローラ８は電源がオフされたことを検知する（ステップＳ６）。ここで、装置が省エネルギーモードに設定されている場合、表示消灯制御手段８５は、表示駆動部７への表示駆動信号の出力を停止し（ステップＳ７）、表示部６を消灯させる（ステップＳ８）。
【００３４】
以上説明したように本実施形態によれば、待機状態時に省エネルギー化により表示部が消灯している場合、ＤＶＤレコーダＡの電源をオンしなくても、リモコンＢの電源関連キー以外のキー操作により表示部６を点灯させて時刻表示を行うことができる。したがって、ユーザは、ＤＶＤレコーダＡの表示部６に表示される時計表示を見て現在時刻を知りたい場合に、リモコンＢの電源関連キー以外のキーを操作すれば、表示部６に現在時刻が表示されるので、便利になる。また、所定時間が経過すれば、自動的に表示部６が消灯されるので、省エネルギー化を図ることができる。また、リモコンＢの電源関連キー以外のキーを操作すれば、表示部６に現在時刻を表示できるので、リモコンＢに新たに表示用キーを設ける必要がなく、現状のリモコンＢをそのまま使用でき、コスト高になることはない。なお、この表示部の点灯／消灯の制御処理を採用できる電子機器は、ＤＶＤレコーダに限ることはない。
【産業上の利用可能性】
【００３５】
本発明は、少なくとも時計機能を有する表示部を備え、リモコンにより操作可能であり、所定の動作を行う機能を有する電子機器（例えば、ＤＶＤレコーダ、ＤＶＤプレイヤ、ハードディスクレコーダ、ビデオカセットレコーダなどのＡＶ機器や、その他、リモコンにより操作可能で時計機能を有する表示部を備えた電子機器）に、表示部の点灯／消灯の制御処理を利用することができる。
【図面の簡単な説明】
【００３６】
【図１】本発明の一実施形態に係る電子機器としてのＤＶＤレコーダの構成を示すブロック図である。
【図２】前記実施形態のＤＶＤレコーダにおける前面操作パネルの一例を示す構成図である。
【図３】前記実施形態のＤＶＤレコーダにおいてリモコンの操作ボタンの配置の一例を簡略化して示した構成図である。
【図４】前記実施形態のＤＶＤレコーダにおいて前面操作パネルに設けられている表示部を点灯させたり消灯させたりする制御を説明するためのフローチャートである。
【符号の説明】
【００３７】
Ａ    ＤＶＤレコーダ（電子機器）
Ｂ    リモコン
６    表示部
８    システムコントローラ
８１    電源状態判定手段
８２    操作制御手段
８３    キー入力判定手段
８４    タイマ・表示点灯制御手段
８５    表示消灯制御手段
１０１    電源キー（電源関連キー）
１０５    再生キー（電源関連キー）
【図１】
2007306045.tif 000003
【図２】
2007306045.tif 000004
【図３】
2007306045.tif 000005
【図４】
2007306045.tif 000006